(57)【要約】【課題】コンテンツ提供業者に分配する分配金を柔軟に算定できるようにすること。【解決手段】通信部１１は、コンテンツブロックと、このコンテンツブロックを提供するコンテンツ提供業者２００ａを示す事業者名情報と、このコンテンツブロックの料金を示す料金情報２１ｂとを受信し、視聴ログ情報３０を管理サーバ１００に送信する。更新部１５は、コンテンツブロックの利用状況を示す視聴状況３０ｄを作成し、視聴状況３０ｄ、事業者名情報（コンテンツ提供業者名３０ｅと同じ内容）及び料金３０ｃ（料金情報２１ｂと同じ内容）を含む視聴ログ情報３０を作成する。管理サーバ１００は、端末１０から送信される視聴ログ情報３０に基づいて、コンテンツ提供業者２００ａに分配する分配金２３の算定を行う。【選択図】図１
2009064183.tif 000002
【特許請求の範囲】
【請求項１】
端末と、
管理サーバと
を備えたコンテンツ提供システムであって、
前記端末は、
コンテンツを構成する複数のコンテンツブロックと、該コンテンツブロックを提供するコンテンツ提供業者を示す事業者名情報と、該コンテンツブロックの料金を示す料金情報とを受信する受信手段と、
前記コンテンツブロックの利用状況を示す利用情報を作成する利用情報作成手段と、
前記利用情報、前記事業者名情報及び前記料金情報を含む視聴ログ情報を作成する視聴ログ情報作成手段と、
前記視聴ログ情報を前記管理サーバに送信する視聴ログ情報送信手段と
を有し、
前記管理サーバは、
前記端末から送信される前記視聴ログ情報に基づいて、前記コンテンツ提供業者に分配する分配金の算定を行う
ことを特徴とするコンテンツ提供システム。
【請求項２】
前記端末は、暗号化されたコンテンツブロックを復号する復号手段を更に有し、
前記視聴ログ情報作成手段は、前記暗号化されたコンテンツブロックが前記復号手段により復号されたことをトリガとして前記視聴ログ情報を作成する
ことを特徴とする請求項１に記載のコンテンツ提供システム。
【請求項３】
前記視聴ログ情報送信手段は、予め指定されたイベントの発生をトリガとして前記視聴ログ情報を前記管理サーバに送信する、ことを特徴とする請求項１又は２に記載のコンテンツ提供システム。
【請求項４】
前記端末は、前記受信手段により受信された前記コンテンツブロックを前記端末の内蔵メモリに保存するコンテンツブロック保存手段を更に有し、
前記内蔵メモリに保存された前記コンテンツブロックを利用する旨の指示入力が成された場合、前記利用情報作成手段は、このコンテンツブロックの利用状況を示す前記利用情報を作成し、前記視聴ログ情報作成手段は、この利用情報を含む前記視聴ログ情報を作成する、ことを特徴とする請求項１〜３の何れか一項に記載のコンテンツ提供システム。
【請求項５】
前記端末は、
前記視聴ログ情報送信手段が前記管理サーバに前記視聴ログ情報を送信する時に前記端末が通信圏内にない場合、該視聴ログ情報を前記内蔵メモリに保存する視聴ログ情報保存手段と
前記視聴ログ情報送信手段が前記管理サーバに前記視聴ログ情報を送信する時に前記端末が通信圏内にある場合、この送信対象の視聴ログ情報とは異なる未送信の視聴ログ情報が前記内蔵メモリに保存されているか否かを判定する判定手段とを更に有し、
前記視聴ログ情報送信手段は、
前記未送信の視聴ログ情報が前記内蔵メモリに保存されていると前記判定手段により判定された場合、該未送信の視聴ログ情報を前記送信対象の視聴ログ情報とともに前記管理サーバに送信する、
ことを特徴とする請求項４に記載のコンテンツ提供システム。
【請求項６】
端末と、管理サーバとを備えたコンテンツ提供システムにより行われるコンテンツ提供方法であって、
コンテンツを構成する複数のコンテンツブロックと、該コンテンツブロックを提供するコンテンツ提供業者を示す事業者名情報と、該コンテンツブロックの料金を示す料金情報とを前記端末が受信する受信ステップと、
前記コンテンツブロックの利用状況を示す利用情報を前記端末が作成する利用情報作成ステップと、
前記利用情報、前記事業者名情報及び前記料金情報を含む視聴ログ情報を前記端末が作成する視聴ログ情報作成ステップと、
前記視聴ログ情報を前記管理サーバに前記端末が送信する視聴ログ情報送信ステップと、
前記端末から送信される前記視聴ログ情報に基づいて、前記コンテンツ提供業者に分配する分配金の算定を前記管理サーバが行う算定ステップと
を含む、ことを特徴とするコンテンツ提供方法。
【請求項７】
通信端末であって、
コンテンツを構成する複数のコンテンツブロックと、該コンテンツブロックを提供するコンテンツ提供業者を示す事業者名情報と、該コンテンツブロックの料金を示す料金情報とを受信する受信手段と、
前記コンテンツブロックの利用状況を示す利用情報を作成する利用情報作成手段と、
前記利用情報、前記事業者名情報及び前記料金情報を含む視聴ログ情報を作成する視聴ログ情報作成手段と、
前記コンテンツブロックの利用料金を管理する管理サーバに、前記視聴ログ情報を送信する視聴ログ情報送信手段と
を有する、ことを特徴とする通信端末。
【請求項８】
暗号化されたコンテンツブロックを復号する復号手段を更に有し、
前記視聴ログ情報作成手段は、前記暗号化されたコンテンツブロックが前記復号手段により復号されたことをトリガとして前記視聴ログ情報を作成する
ことを特徴とする請求項７に記載の通信端末。
【請求項９】
前記視聴ログ情報送信手段は、予め指定されたイベントの発生をトリガとして前記視聴ログ情報を前記管理サーバに送信する、ことを特徴とする請求項７又は８に記載の通信端末。
【請求項１０】
前記受信手段により受信された前記コンテンツブロックを当該通信端末の内蔵メモリに保存するコンテンツブロック保存手段を更に有し、
前記内蔵メモリに保存された前記コンテンツブロックを利用する旨の指示入力が成された場合、前記利用情報作成手段は、このコンテンツブロックの利用状況を示す前記利用情報を作成し、前記視聴ログ情報作成手段は、この利用情報を含む前記視聴ログ情報を作成する、ことを特徴とする請求項７〜９の何れか一項に記載の通信端末。
【請求項１１】
前記視聴ログ情報送信手段が前記管理サーバに前記視聴ログ情報を送信する時に当該通信端末が通信圏内にない場合、該視聴ログ情報を前記内蔵メモリに保存する視聴ログ情報保存手段と
前記視聴ログ情報送信手段が前記管理サーバに前記視聴ログ情報を送信する時に当該通信端末が通信圏内にある場合、この送信対象の視聴ログ情報とは異なる未送信の視聴ログ情報が前記内蔵メモリに保存されているか否かを判定する判定手段とを更に有し、
前記視聴ログ情報送信手段は、
前記未送信の視聴ログ情報が前記内蔵メモリに保存されていると前記判定手段により判定された場合、該未送信の視聴ログ情報を前記送信対象の視聴ログ情報とともに前記管理サーバに送信する、
ことを特徴とする請求項１０に記載の通信端末。
【発明の詳細な説明】
【技術分野】
【０００１】
本発明は、コンテンツを提供するためのコンテンツ提供システム及びコンテンツ提供方法と、通信端末とに関する。
【背景技術】
【０００２】
特許文献１には、携帯電話機がコンテンツの視聴内容の詳細に応じた課金を的確かつ安全に課金サーバ（コンテンツ提供業者）に行わせるための技術が開示されている。
【特許文献１】特開２００４−３４１７４４号公報
【発明の開示】
【発明が解決しようとする課題】
【０００３】
しかし、上記のような従来の技術では、複数のコンテンツ提供業者によって一つの完成されたコンテンツが提供される場合等、コンテンツの視聴料金のコンテンツ提供業者への分配が複雑な場合に対処するのは困難である。
【０００４】
そこで本発明の目的は、コンテンツ提供業者に分配する分配金を柔軟に算定できるようにすることである。
【課題を解決するための手段】
【０００５】
本発明は、端末と、管理サーバとを備えたコンテンツ提供システムであって、上記端末は、コンテンツを構成する複数のコンテンツブロックと、該コンテンツブロックを提供するコンテンツ提供業者を示す事業者名情報と、該コンテンツブロックの料金を示す料金情報とを受信する受信手段と、上記コンテンツブロックの利用状況を示す利用情報を作成する利用情報作成手段と、上記利用情報、上記事業者名情報及び上記料金情報を含む視聴ログ情報を作成する視聴ログ情報作成手段と、上記視聴ログ情報を上記管理サーバに送信する視聴ログ情報送信手段とを有し、上記管理サーバは、上記端末から送信される上記視聴ログ情報に基づいて、上記コンテンツ提供業者に分配する分配金の算定を行うことを特徴とする。
【０００６】
また、本発明は、通信端末であって、コンテンツを構成する複数のコンテンツブロックと、該コンテンツブロックを提供するコンテンツ提供業者を示す事業者名情報と、該コンテンツブロックの料金を示す料金情報とを受信する受信手段と、上記コンテンツブロックの利用状況を示す利用情報を作成する利用情報作成手段と、上記利用情報、上記事業者名情報及び上記料金情報を含む視聴ログ情報を作成する視聴ログ情報作成手段と、上記視聴ログ情報を、上記記コンテンツブロックの利用料金を管理する管理サーバに送信する視聴ログ情報送信手段とを有する、ことを特徴とする。
【０００７】
更に、本発明では、上記端末又は上記通信端末は、暗号化されたコンテンツブロックを復号する復号手段を更に有し、上記視聴ログ情報作成手段は、上記暗号化されたコンテンツブロックが上記復号手段により復号されたことをトリガとして上記視聴ログ情報を作成してもよい。
【０００８】
更に、本発明では、上記視聴ログ情報送信手段は、予め指定されたイベントの発生をトリガとして上記視聴ログ情報を上記管理サーバに送信してもよい。
【０００９】
また、本発明は、端末と、管理サーバとを備えたコンテンツ提供システムにより行われるコンテンツ提供方法であって、コンテンツを構成する複数のコンテンツブロックと、該コンテンツブロックを提供するコンテンツ提供業者を示す事業者名情報と、該コンテンツブロックの料金を示す料金情報とを上記端末が受信する受信ステップと、上記コンテンツブロックの利用状況を示す利用情報を上記端末が作成する利用情報作成ステップと、上記利用情報、上記事業者名情報及び上記料金情報を含む視聴ログ情報を上記端末が作成する視聴ログ情報作成ステップと、上記視聴ログ情報を上記管理サーバに上記端末が送信する視聴ログ情報送信ステップと、上記端末から送信される上記視聴ログ情報に基づいて、上記コンテンツ提供業者に分配する分配金の算定を上記管理サーバが行う算定ステップとを含む、ことを特徴とする。
【００１０】
従って、コンテンツ全体ではなく、コンテンツブロック毎に（コンテンツの利用時間毎に）視聴ログ情報が作成されるので、コンテンツ提供業者に分配する分配金を柔軟に算定できる。また、コンテンツ全体ではなく、コンテンツブロック毎に（コンテンツの利用時間毎に）視聴ログ情報が作成されるので、ユーザがコンテンツを購入するか否かを比較的容易に決断できる従量制課金が可能となる。また、視聴ログ情報は、コンテンツブロック毎に（コンテンツの利用時間毎に）作成されるので、詳細なマーケティングデータとして高い利用価値を有する。
【００１１】
更に、本発明では、上記端末又は上記通信端末は、上記受信手段により受信された上記コンテンツブロックを上記端末又は上記通信端末の内蔵メモリに保存するコンテンツブロック保存手段を更に有し、上記内蔵メモリに保存された上記コンテンツブロックを利用する旨の指示入力が成された場合、上記利用情報作成手段は、このコンテンツブロックの利用状況を示す上記利用情報を作成し、上記視聴ログ情報作成手段は、この利用情報を含む上記視聴ログ情報を作成するのが好ましい。
【００１２】
従って、コンテンツブロックに対する利用指示が入力された場合に視聴ログ情報が作成される（課金が発生する）ので、ユーザは、コンテンツブロックをコンテンツサーバから一旦受信（ダウンロード）してしまえば、コンテンツブロックを利用する時間を自由に選択することが可能となる。しかも、コンテンツ全体ではなくコンテンツブロック毎に（コンテンツの利用時間毎に）利用時間の自由な選択が可能となる。
【００１３】
更に、本発明では、上記端末又は上記通信端末は、上記視聴ログ情報送信手段が上記管理サーバに上記視聴ログ情報を送信する時に上記端末又は上記通信端末が通信圏内にない場合、該視聴ログ情報を上記内蔵メモリに保存する視聴ログ情報保存手段と上記視聴ログ情報送信手段が上記管理サーバに上記視聴ログ情報を送信する時に上記端末又は上記通信端末が通信圏内にある場合、この送信対象の視聴ログ情報とは異なる未送信の視聴ログ情報が上記内蔵メモリに保存されているか否かを判定する判定手段とを更に有し、上記視聴ログ情報送信手段は、上記未送信の視聴ログ情報が上記内蔵メモリに保存されていると上記判定手段により判定された場合、該未送信の視聴ログ情報を上記送信対象の視聴ログ情報とともに上記管理サーバに送信するのが好ましい。
【００１４】
従って、端末又は通信端末が通信圏内にない場合には、送信対象の視聴ログ情報は内蔵メモリに一旦保存され、端末又は通信端末が通信圏内に至った場合に、この内蔵メモリに保存された視聴ログ情報が管理サーバに送信されるので、視聴ログ情報は管理サーバに確実に送信される。
【発明の効果】
【００１５】
本発明によれば、コンテンツ提供業者に分配する分配金が柔軟に算定できる。
【発明を実施するための最良の形態】
【００１６】
以下、図面を参照して、本発明に係る好適な実施形態について詳細に説明する。なお、図面の説明において、可能な場合には、同一要素には同一符号を付し、重複する説明を省略する。図１は、実施形態に係るコンテンツ提供システム１の構成を示す図である。コンテンツ提供システム１は、端末１０（通信端末）、管理サーバ１００及び複数のコンテンツサーバ２００を備える。端末１０は、放送事業者等のコンテンツ提供業者２００ａの管理するコンテンツサーバ２００から提供される映像作品や音声作品等のコンテンツを再生する装置であり、コンテンツの再生が可能な、例えば、携帯電話やパソコン等の装置である。端末１０は、コンテンツサーバ２００から受信する暗号化コンテンツ情報２０を復号してコンテンツを再生する。なお、コンテンツの再生とは、映像の表示や音声の出力を含む。また、端末１０は、暗号化コンテンツ情報２０をコンテンツサーバ２００から直接取得するだけでなく（一次流通）、他の端末１０１やメモリカード等の記録媒体を介して取得することも可能である（二次流通）。この端末１０１は、暗号化コンテンツ情報２０を、コンテンツサーバ２００、端末１０とは異なる他の端末、又は、メモリカード等の記録媒体等から予め取得している。なお、端末１０は、端末１０１を含む複数の端末を経由して暗号化コンテンツ情報２０を取得してもよい。
【００１７】
ここで、図２を参照して暗号化コンテンツ情報２０を説明する。暗号化コンテンツ情報２０は、複数の暗号化ブロック２１を含み、暗号化ブロック２１は、暗号化コンテンツ２１ａと料金情報２１ｂ（料金情報）とを含む。なお、暗号化コンテンツ情報２０は、複数の料金情報２１ｂの集約された一の料金情報のみを含んでいてもよい。暗号化ブロック２１は、暗号化ブロック２１に含まれるコンテンツブロックの再生順を示す情報を含む。暗号化コンテンツ２１ａは、映像や音楽等のコンテンツブロックが暗号化されたものであり、料金情報２１ｂは、コンテンツ名と、コンテンツブロック名と、暗号化コンテンツ２１ａの料金を示す情報と、暗号化されたコンテンツ復号用キー情報と、暗号化ブロック２１を提供し、暗号化ブロック２１を端末１０に送信するコンテンツサーバ２００を管理するコンテンツ提供業者２００ａを示す事業者名情報とを含んでいる。このコンテンツ復号用キー情報によって暗号化コンテンツ２１ａが復号される。
【００１８】
コンテンツブロックは、一つの完成された映像作品や音声作品等を表すコンテンツ全体の一部であり、複数のコンテンツブロックが再生順に従って順次再生されることによって一つの完成された映像作品や音楽作品が再生される。例えば、コンテンツとして、ＣＭとドラマとを含む映像作品を想定する。このコンテンツには、例えば、ＣＭに対応する一又は複数のコンテンツブロックと、ドラマに対応する一又は複数のコンテンツブロックとが含まれている。このような複数のコンテンツブロックが再生順に従って順次再生されることにより、ＣＭとドラマとを含む一つの完成された映像作品が再生されることとなる。
【００１９】
料金情報２１ｂは、コンテンツブロックの内容に応じて、正（プラス）の金額だけでなく、負（マイナス）の金額を示す場合もある。例えば、コンテンツブロックがドラマの内容の場合、料金情報２１ｂを正（プラス）の金額（すなわち、保有金額を減少させる金額）に設定し、コンテンツブロックがＣＭの場合、料金情報２１ｂを負（マイナス）の金額（すなわち、保有金額を増加させる金額）に設定できる。料金情報２１ｂの示す料金（コンテンツブロックの料金）は、コンテンツ提供業者２００ａが自由に設定できる。多くの視聴が見込まれるコンテンツブロック（例えばハイライトシーン等）に対しては料金を高く設定し、視聴が比較的少ないと予想されるコンテンツブロックに対しては料金を低く設定できる。また、スポンサー料の高低に応じて料金を設定することもできる。
【００２０】
図１に戻って説明する。端末１０のユーザがコンテンツを利用するためには、管理サーバ１００を管理する移動体通信キャリア等の代金回収代行業者１００ａに金銭を支払う必要がある。本実施形態においては、コンテンツの利用料金はプリペイド方式によって支払われるものとする。すなわち、コンテンツの利用料金は前払いで代金回収代行業者１００ａに予め支払われるものとする。なお、代金回収代行業者１００ａへの金銭の支払い方法についてはプリペイド方式に限らない。端末１０は、端末１０のユーザが代金回収代行業者１００ａに支払った金銭の額を示す支払い金額情報２２を管理サーバ１００から受信して、ユーザの保有する金銭の額（保有金額）を示す保有金額情報を更新する。具体的には、端末１０は、管理サーバ１００から送信される支払い金額情報２２の示す支払い金額を、保有金額情報の示す保有金額に加算する。なお、支払い金額は、ユーザが実際に代金回収代行業者１００ａに支払った金銭の額に、ユーザの属性（性別、年齢層、職業など）に応じて所定額が調整されたものであってもよい。この保有金額情報は、後述する記録装置１０ｇ（内蔵メモリ）に格納される。
【００２１】
端末１０は、利用された（復号化された）コンテンツブロックの料金（料金情報２１ｂの内容）に応じて保有金額情報を更新する。具体的には、端末１０は、利用された（復号化された）コンテンツブロックの料金（料金情報２１ｂの内容）を保有金額情報の示す保有金額から減算（又は、コンテンツブロックの料金を保有金額に加算）する。端末１０はＦｅｌｉｃａ（登録商標）カード等のＩＣカードを搭載し、料金の支払いは、このＩＣカードを介して行われる。
【００２２】
端末１０は、コンテンツの利用実績を示す視聴ログ情報３０を作成し（図３を参照）、この視聴ログ情報３０を管理サーバ１００に送信する。なお、端末１０は、端末１０が通信圏外にある場合、視聴ログ情報３０を記録装置１０ｇに一旦格納し、端末１０が通信圏内にある場合に他の視聴ログ情報３０を管理サーバ１００に送信する時に、記録装置１０ｇに格納したこの未送信の視聴ログ情報３０も管理サーバ１００に送信する。
【００２３】
管理サーバ１００は、移動体通信キャリア等の代金回収代行業者１００ａにより管理されるサーバである。管理サーバ１００は、端末１０において作成される保有金額情報を管理する。管理サーバ１００は、端末１０において作成され、端末１０から送信される視聴ログ情報３０を管理する。
【００２４】
代金回収代行業者１００ａは、例えば、端末１０のユーザから支払われた金銭を、端末１０において作成された視聴ログ情報３０に基づいて各コンテンツ提供業者２００ａに分配し、この分配した分配金２３を各コンテンツ提供業者２００ａ宛に入金する。管理サーバ１００は、端末１０において作成された視聴ログ情報３０を各コンテンツサーバ２００に提供する。この場合、管理サーバ１００は、視聴ログ情報３０の内容を統計的に纏めた内容を各コンテンツサーバ２００に提供してもよい。各コンテンツサーバ２００は、放送事業者等の複数のコンテンツ提供業者２００ａがそれぞれ管理する。コンテンツサーバ２００は、端末１０からのコンテンツの視聴要求に応じて、この視聴要求された暗号化コンテンツ情報２０を、端末１０に提供するサーバである。
【００２５】
次に、図３及び図４を参照して、端末１０の構成を説明する。図３に示すように、端末１０は、物理的には、ＣＰＵ１０ａ、ＲＡＭ１０ｂ、ＲＯＭ１０ｃ、入力装置１０ｄ、出力装置１０ｅ、通信装置１０ｆ、記録装置１０ｇを有しており、これらはバス１０ｈに接続されている。ＣＰＵ１０ａは、ＲＯＭ１０ｃ等の内蔵メモリに格納された所定のコンピュータソフトウェアをＲＡＭ１０ｂにロードして実行することにより、端末１０を統括的に制御する。入力装置１０ｄは、データ入力用デバイスであり、入力されたデータをＣＰＵ１０ａに出力する。出力装置１０ｅは、ＬＣＤ等の表示装置やスピーカであり、ＣＰＵ１０ａから入力されたデータ（コンテンツの内容）をＬＣＤ等に表示したり、スピーカから放音したりする。
【００２６】
通信装置１０ｆは、管理サーバ１００や各コンテンツサーバ２００等と通信を行うためのインターフェイスを有する。記録装置１０ｇ（内蔵メモリ）は、データの書き込み／読み出しが自在なメモリであり、カードスロット１０ｊを有する。カードスロット１０ｊは、耐タンパ性を有するＩＣカード等の記録媒体が着脱自在となっている。記録装置１０ｇは、カードスロット１０ｊに装着されたＩＣカード等に対しデータの書き込み／読み出しが自在に行える。なお、ＩＣカード等の記録媒体（例えば、Ｆｅｌｉｃａ（登録商標）カード等）は、通信装置１０ｆに固定された構成であってもよい。
【００２７】
ＣＰＵ１０ａは、図４に示す複数の機能を実現する。図４は、ＣＰＵ１０ａにより実現される端末１０の機能を示すブロック図である。端末１０は、機能的には、通信部１１（受信手段、視聴ログ情報送信手段）、抽出部１２、記憶部１３（コンテンツブロック保存手段、視聴ログ情報保存手段）、判定部１４（判定手段）、更新部１５（利用情報作成手段、視聴ログ情報作成手段）、鍵生成部１６、復号部１７（復号手段）、再生部１８を有する。この通信部１１〜再生部１８は、ＣＰＵ１０ａが上述のコンピュータソフトウェアを実行し、図３に示す端末１０の各構成部を動作させることにより実現される機能である。特に、ＣＰＵ１０ａは、通信部１１〜再生部１８を用いて、図６及び図７に示す端末１０の行う処理を実行する。
【００２８】
通信部１１は、管理サーバ１００やコンテンツサーバ２００と通信を行う機能を有する。通信部１１は、暗号化コンテンツ情報２０をコンテンツサーバ２００から受信する。通信部１１は、支払い金額情報２２を管理サーバ１００から受信する。通信部１１は、記録装置１０ｇに格納された保有金額情報を管理サーバ１００に送信する。
【００２９】
抽出部１２は、コンテンツサーバ２００から受信した暗号化コンテンツ情報２０から暗号化ブロック２１を抽出する。抽出部１２は、暗号化ブロック２１から、暗号化コンテンツ２１ａと料金情報２１ｂとを抽出する。抽出部１２は、暗号化ブロック２１に含まれている再生順を示す情報に基づいて、料金情報２１ｂを判定部１４と鍵生成部１６とに順次入力し、暗号化コンテンツ２１ａを復号部１７に順次入力する。
【００３０】
記憶部１３は、記録装置１０ｇに対するデータの書き込み／読み出しを行う。記憶部１３は、保有金額情報を記録装置１０ｇに書き込み又は記録装置１０ｇから読み出す。記憶部１３は、通信部１１により受信された暗号化コンテンツ情報２０（又は、暗号化ブロック２１）を記録装置１０ｇに一旦保存する。記憶部１３は、通信部１１が管理サーバ１００に視聴ログ情報３０を送信する時に端末１０が通信圏内にない場合、視聴ログ情報３０を記録装置１０ｇに保存する。
【００３１】
判定部１４は、抽出部１２から入力される暗号化ブロック２１（以下、再生対象の暗号化ブロック２１ともいう）に含まれる料金情報２１ｂと記憶部１３に格納されている保有金額情報とを比較して、この再生対象となっている暗号化ブロック２１に対する復号を許可するか否かを判定する。判定部１４は、暗号化ブロック２１が抽出部１２から入力される毎に（すなわち、コンテンツブロックの再生順に）、この再生対象となっている暗号化ブロック２１の復号を許可するか否かを判定する。
【００３２】
判定部１４は、保有金額が、再生対象となっている暗号化ブロック２１の料金情報２１ｂの内容（金額）以上である場合には、この暗号化ブロック２１の復号を許可し、この旨を鍵生成部１６に通知する。判定部１４は、保有金額が、再生対象となっている暗号化ブロック２１の料金情報２１ｂの内容（金額）未満である場合には、この暗号化ブロック２１の復号を許可しない。なお、端末１０のユーザは、コマ送りやスキップ等により特定の暗号化ブロック２１を再生の対象から外すことが可能である。この場合、再生対象から外された暗号化ブロック２１に対し、判定部１４は、復号を許可するか否かの判定を行わない。
【００３３】
また、判定部１４は、通信部１１が管理サーバ１００に視聴ログ情報３０を送信する時に端末１０が通信圏内にある場合、この送信対象の視聴ログ情報３０とは異なる未送信の視聴ログ情報３０が記録装置１０ｇに保存されているか否かを判定する。そして、通信部１１は、未送信の視聴ログ情報が記録装置１０ｇに保存されていると判定部１４により判定された場合、この未送信の視聴ログ情報３０を送信対象の視聴ログ情報３０とともに管理サーバ１００に送信する。
【００３４】
更新部１５は、管理サーバ１００から通信部１１を介して受信される支払い金額情報２２の内容に基づいて記録装置１０ｇに格納されている保有金額情報を更新する。更新部１５は、料金情報２１ｂに含まれている暗号化されたコンテンツ復号用キー情報が鍵生成部１６により復号されると（暗号化されたコンテンツ復号用キー情報は鍵生成部１６により復号される）、この復号をトリガとして（復号された旨を示す通知は鍵生成部１６から更新部１５に送信される）、復号されたコンテンツ復号用キー情報を含む料金情報２１ｂの内容（金額）に応じて、記録装置１０ｇに格納されている保有金額情報を更新し、更に、復号されたコンテンツ復号用キー情報を含む暗号化ブロック２１の暗号化コンテンツ２１ａに対して後述の視聴ログ情報３０（図５を参照）を作成する。
【００３５】
なお、更新部１５は、記録装置１０ｇに保存された暗号化コンテンツ情報２０（すなわち、暗号化ブロック２１）を利用する旨の指示入力が入力装置１０ｄを介して成されると、この指示入力に応じて、この暗号化ブロック２１に対する判定部１４による復号許可の判定が得られた後に、この暗号化ブロック２１の利用状況（復号したか否か）を示す視聴状況３０ｄ（利用情報）を作成し、この作成した視聴状況３０ｄを含む視聴ログ情報３０を作成する。
【００３６】
鍵生成部１６は、再生対象の暗号化ブロック２１の復号を許可する旨の通知を判定部１４から受けると、この通知に応じて、復号が許可された暗号化ブロック２１に含まれる暗号化されたコンテンツ復号用キー情報を、マスターキー情報を用いて復号する。すなわち、鍵生成部１６は、マスターキー情報を用いて、暗号化コンテンツ２１ａの復号を行うためのコンテンツ復号用キー情報を生成する。このマスターキー情報は、端末１０のメモリ（ＲＯＭ１０ｃや記録装置１０ｇ）に格納されている。このコンテンツ復号用キー情報が鍵生成部１６により生成された時点で、このコンテンツ復号用キー情報により復号可能な暗号化コンテンツ２１ａに対する課金が発生し、この課金対象の暗号化コンテンツ２１ａに対する視聴ログ情報３０が更新部１５によって作成される。復号部１７は、鍵生成部１６により生成されたコンテンツ復号用キー情報を用いて、暗号化コンテンツ２１ａを復号する。再生部１８は、復号部１７によって復号されたコンテンツブロックの内容をＬＣＤやスピーカ等に出力する。
【００３７】
ここで、図５を参照して、視聴ログ情報３０の内容を説明する。視聴ログ情報３０は、図５に示す視聴ログ情報３１〜視聴ログ情報３４等の総称である。視聴ログ情報３１〜視聴ログ情報３４は、「ＢＢＢ１」〜「ＢＢＢ４」の各コンテンツブロックに対する視聴ログ情報であり、「ＢＢＢ１」、「ＢＢＢ２」、「ＢＢＢ３」、「ＢＢＢ４」の順が再生順となっている。よって、視聴ログ情報３１〜視聴ログ情報３４は、更新部１５により順次作成されることとなる。
【００３８】
視聴ログ情報３０（視聴ログ情報３１〜視聴ログ情報３４）は、ユーザの名称や識別子と、コンテンツの名称や識別子（コンテンツ名３０ａ）と、コンテンツブロックの名称や識別子（コンテンツブロック名３０ｂ）と、コンテンツブロックの料金（料金３０ｃ）と、コンテンツブロックの視聴状況（視聴状況３０ｄ）と、コンテンツを提供するコンテンツ提供業者名や識別子（コンテンツ提供業者名３０ｅ）とを含む。料金３０ｃ（料金情報）は、暗号化ブロック２１に含まれている料金情報２１ｂの内容（金額）を表しており、コンテンツ提供業者名３０ｅ（事業者名情報）は、暗号化ブロック２１に含まれている事業者名情報の内容を表している。視聴ログ情報３０は、各コンテンツ提供業者２００ａに対する視聴料金の分配に用いられる。なお、視聴ログ情報３０は、商品やサービス等と引き換え可能なポイント数やユーザに還元される金銭の額（割引額を含む）の算出に用いられることもできる。
【００３９】
次に、視聴ログ情報３１〜視聴ログ情報３４のそれぞれの内容を説明する。視聴ログ情報３１のコンテンツ名３０ａは「ＡＡＡ」であり、コンテンツブロック名３０ｂは「ＢＢＢ１」であり、料金３０ｃは「＋１００円」であり、視聴状況３０ｄは「２００６／１２／３／１５：００：００」（２００６年１２月３日の１５時００分００秒）であり、コンテンツ提供業者名３０ｅは「Ｃ業者」である。この視聴ログ情報３１によれば、「Ｃ業者」により提供された「ＡＡＡ」のコンテンツを構成する「ＢＢＢ１」のコンテンツブロックは、「２００６年１２月３日の１５時００分００秒」にコンテンツ復号用キー情報が復号（生成）され、この復号に伴って生じる料金が「プラス１００円」である、ことがわかる。
【００４０】
視聴ログ情報３２のコンテンツ名３０ａは「ＡＡＡ」であり、コンテンツブロック名３０ｂは「ＢＢＢ２」であり、料金３０ｃは「−２００円」であり、視聴状況３０ｄは「２００６／１２／３／１５：００：３０」（２００６年１２月３日の１５時００分３０秒）であり、コンテンツ提供業者名３０ｅは「Ｄ業者」である。この視聴ログ情報３２によれば、「Ｃ業者」とは異なる「Ｄ業者」により提供された「ＡＡＡ」のコンテンツを構成する「ＢＢＢ２」のコンテンツブロックは、「２００６年１２月３日の１５時００分３０秒」にコンテンツ復号用キー情報が復号（生成）され、この復号に伴って生じる料金が「マイナス２００円」である、ことがわかる。
【００４１】
視聴ログ情報３３のコンテンツ名３０ａは「ＡＡＡ」であり、コンテンツブロック名３０ｂは「ＢＢＢ３」であり、料金３０ｃは「−１００円」であり、視聴状況３０ｄは「―」（コマ送り又はスキップ）であり、コンテンツ提供業者名３０ｅは「Ｄ業者」である。この視聴ログ情報３３によれば、「Ｄ業者」により提供された「ＡＡＡ」のコンテンツを構成する「ＢＢＢ３」のコンテンツブロックは、コンテンツ復号用キー情報が復号（生成）されていないが、復号に伴って生じる料金が「マイナス１００円」である、ことがわかる。
【００４２】
視聴ログ情報３４のコンテンツ名３０ａは「ＡＡＡ」であり、コンテンツブロック名３０ｂは「ＢＢＢ４」であり、料金３０ｃは「＋３００円」であり、視聴状況３０ｄは「２００６／１２／３／１５：０１：００」（２００６年１２月３日の１５時０１分００秒）であり、コンテンツ提供業者名３０ｅは「Ｃ業者」である。この視聴ログ情報３４によれば、再び「Ｃ業者」により提供された「ＡＡＡ」のコンテンツを構成する「ＢＢＢ４」のコンテンツブロックは、「２００６年１２月３日の１５時０１分００秒」にコンテンツ復号用キー情報が復号（生成）され、この復号に伴って生じる料金が「プラス３００円」である、ことがわかる。
【００４３】
また、上記の視聴ログ情報３１〜視聴ログ情報３４によると、Ｃ業者の提供するコンテンツ「ＡＡＡ」のコンテンツブロック「ＢＢＢ１」、「ＢＢＢ２」及び「ＢＢＢ４」が順次再生（マスターキー情報によってコンテンツ復号用キー情報が復号）され、「ＢＢＢ２」と「ＢＢＢ４」の間の「ＢＢＢ３」のコンテンツブロックがコマ送り又はスキップされた（マスターキー情報によってコンテンツ復号用キー情報が復号されなかった）ことがわかる。また、視聴ログ情報３１〜視聴ログ情報３４によると、コンテンツブロック「ＢＢＢ１」、「ＢＢＢ２」、「ＢＢＢ３」及び「ＢＢＢ５」を視聴したことによる料金は、Ｃ業者に対してはプラス４００円（プラス１００円及びプラス３００円の合計金額）であり、Ｄ業者に対してはマイナス３００円（マイナス２００円及びマイナス１００円の合計金額）となる。
【００４４】
次に、図６及び図７を参照して、コンテンツ提供システム１の動作の一例を説明する。図６に示すように端末１０のユーザは、まず代金回収代行業者１００ａに対し金銭を支払う（ステップＳ１）。管理サーバ１００は、ステップＳ１において支払われた金銭の額を示す支払い金額情報２２を端末１０に送信する（ステップＳ２）。端末１０の更新部１５は、管理サーバ１００から送信された支払い金額情報２２が通信部１１によって受信されると（ステップＳ３）、この支払い金額情報２２の内容に基づいて記録装置１０ｇに格納されている保有金額情報を更新する（ステップＳ４）。この場合、更新部１５は、支払い金額情報２２の示す金額を、保有金額情報に示す金額に加算することによって、保有金額情報を更新する。
【００４５】
ステップＳ４の後、端末１０の通信部１１は、コンテンツサーバ２００に対し、コンテンツの視聴要求２４（コンテンツのダウンロード要求）を送信する（ステップＳ５）。コンテンツサーバ２００は、コンテンツの視聴要求２４を端末１０から受けると（ステップＳ６）、この視聴要求２４の対象となっているコンテンツの暗号化コンテンツ情報２０を端末１０に送信する（ステップＳ７）。
【００４６】
ステップＳ７の後、端末１０の通信部１１が、暗号化コンテンツ情報２０をコンテンツサーバ２００から受信した後（ステップＳ８）、この暗号化コンテンツ情報２０に含まれている暗号化ブロック２１を記録装置１０ｇに一旦保存する。そして、この記録装置１０ｇに保存されている暗号化ブロック２１を利用する旨の指示入力がユーザにより端末１０の入力装置１０ｄを介して成された場合に、端末１０の抽出部１２は、記録装置１０ｇに保存された暗号化ブロック２１を、暗号化ブロック２１に含まれている再生順を示す情報に基づいて順次抽出し、暗号化ブロック２１に含まれる料金情報２１ｂを端末１０の判定部１４に順次出力する。
【００４７】
判定部１４は、この抽出部１２からの料金情報２１ｂと、記録装置１０ｇに格納されている保有金額情報とを比較して、この比較対象となっている料金情報２１ｂを含む暗号化ブロック２１の復号を許可するか否かを判定する（ステップＳ９）。判定部１４は、暗号化ブロック２１の復号を許可すると判定した場合（ステップＳ９；Ｙｅｓ）、ステップＳ１０に移行し、暗号化ブロック２１の復号を許可しないと判定した場合（ステップＳ９；Ｎｏ）、暗号化コンテンツ情報２０に対する再生処理を終了する。
【００４８】
ステップＳ９（Ｙｅｓ）の後、抽出部１２は、復号が許可された暗号化ブロック２１に含まる暗号化コンテンツ２１ａを端末１０の復号部１７に出力し、この復号が許可された暗号化ブロック２１に含まる料金情報２１ｂを端末１０の鍵生成部１６に出力する。
【００４９】
そして、ステップＳ１０において、鍵生成部１６は、端末１０のメモリ（ＲＯＭ１０ｃや記録装置１０ｇ）に格納されているマスターキー情報を用いて暗号化されたコンテンツ復号用キー情報を復号する処理を行う。この復号の対象となっているコンテンツ復号用キー情報は、抽出部１２から入力された料金情報２１ｂの有する情報である。この料金情報２１ｂは、復号が許可された暗号化ブロック２１に含まれている情報である。すなわち、鍵生成部１６は、マスターキー情報を用いて、復号が許可された暗号化ブロック２１に含まれている暗号化コンテンツ２１ａの復号を行うためのコンテンツ復号用キー情報を生成する。更に、このステップＳ１０において、復号部１７は、鍵生成部１６により生成されたコンテンツ復号用キー情報を用いて、抽出部１２から入力された暗号化コンテンツ２１ａを復号する。この復号の対象となっている暗号化コンテンツ２１ａは、復号が許可された暗号化ブロック２１に含まれている情報である。
【００５０】
鍵生成部１６は、マスターキー情報を用いて、暗号化コンテンツ２１ａの復号を行うためのコンテンツ復号用キー情報を生成すると、この旨を端末１０の更新部１５に通知する。ステップＳ１０の後、更新部１５は、鍵生成部１６からの通知（コンテンツ復号用キー情報を生成した旨の通知）を受けると、この通知を受けたことをトリガとして、復号が許可された暗号化ブロック２１に対する視聴ログ情報３０を作成し、端末１０の記憶部１３は、この視聴ログ情報３０を記録装置１０ｇに格納する（ステップＳ１１）。
【００５１】
ステップＳ１１の後、更新部１５は、復号が許可された暗号化ブロック２１に含まれている料金情報２１ｂの示す金額に基づいて、記録装置１０ｇに格納されている保有金額情報を更新する（ステップＳ１２）。ステップＳ１２の後、端末１０の再生部１８は、復号部１７により復号された暗号化コンテンツ２１ａの内容（コンテンツブロック）を再生する（ステップＳ１３）。
【００５２】
ステップＳ１３の後、端末１０の判定部１４は、次の再生順に対応する暗号化ブロック２１が暗号化コンテンツ情報２０に含まれているか否かを判定し（ステップＳ１４）、次の再生順に対応する暗号化ブロック２１が暗号化コンテンツ情報２０に含まれていると判定した場合（ステップＳ１４；Ｙｅｓ）、ステップＳ９に移行して、この暗号化ブロック２１に対し、上記の処理（ステップＳ９〜ステップＳ１３）を行う。次の再生順に対応する暗号化ブロック２１が暗号化コンテンツ情報２０に含まれていないと判定部１４により判定された場合（ステップＳ１４；Ｎｏ）、暗号化コンテンツ情報２０に対する再生処理は終了される。
【００５３】
次に、図７を参照して、コンテンツ提供システム１による視聴ログ情報３０の送信処理を説明する。以下、新たな視聴ログ情報３０（以下、今回の視聴ログ情報３０という）が更新部１５により作成された場合を想定する。端末１０の判定部１４が所定イベントの発生を検知すると（ステップＳ２０）、端末１０が通信圏内にあるか否かを判定する（ステップＳ２１）。なお、一又は複数のイベントがユーザにより予め指定され、この指定されたイベントの発生がトリガとなって視聴ログ情報３０が管理サーバ１００に送信されてもよい。
【００５４】
このイベントとは、視聴ログ情報３０の作成、端末１０の再生部１８によるコンテンツブロックの再生開始／再生終了、端末１０におけるコンテンツ再生用のアプリケーションの起動／終了、タイマにセットされた所定時刻の到来（この場合、端末１０はタイマ機能を有する）、端末１０の起動等のイベントや、端末１０が携帯電話の場合に行われるメールの送受信や電話の発着信等、端末１０が明らかに圏内であることが分かるイベントである。
【００５５】
判定部１４は、端末１０が通信圏内にあると判定した場合（ステップＳ２１；Ｙｅｓ）、記録装置１０ｇに未送信の視聴ログ情報３０の有無を判定し（ステップＳ２２）、記録装置１０ｇに保存されている未送信の視聴ログ情報３０が無いと判定した場合（ステップＳ２２；Ｎｏ）、端末１０の通信部１１は、今回の視聴ログ情報３０を管理サーバ１００に送信する（ステップＳ２３）。
【００５６】
ステップＳ２１において、端末１０が通信圏外にあると判定部１４により判定された場合（ステップＳ２１；Ｎｏ）、端末１０の記憶部１３は、今回の視聴ログ情報３０を記録装置１０ｇに保存する（ステップＳ２４）。
【００５７】
また、ステップＳ２２において、記録装置１０ｇに保存されている未送信の視聴ログ情報３０が有ると判定部１４により判定された場合（ステップＳ２２；Ｙｅｓ）、通信部１１は、今回の視聴ログ情報３０を、記録装置１０ｇに保存されている視聴ログ情報３０とともに管理サーバ１００に送信する（ステップＳ２５）。すなわち、端末１０の通信部１１は、端末１０が通信圏内にある場合に上記イベントをトリガとして今回の視聴ログ情報３０を管理サーバ１００に送信する。
【００５８】
以上のように、本実施形態においては、代金回収代行業者１００ａへの金銭の支払い方法をプリペイド方式としたが、これに限らず、ポストペイ方式としてもよい。このポストペイ方式を用いた場合、判定部１４の機能はコンテンツ提供システム１に必ずしも必要とはならない。なお、ポストペイ方式においては、コンテンツの購入等による課金の発生時とこの課金の請求時（例えば、振込み用紙の発行時や銀行引き落とし時）との間には例えば一ヶ月程度のタイムラグが発生し、このタイムラグの存在により、課金の支払いが支払い能力の超過等で実際には実行されない場合が生じ得る。このような事態を回避するため、コンテンツ提供システム１は、ポストペイされる金額（未払い金額）が予め設定された上限金額を超えたか否かを判定する判定機能を有していてもよい。この場合、管理サーバ１００は、視聴ログ情報３０が端末１０から管理サーバ１００に送信された時、又は、課金の支払いが実行された時に、未払い金額をリセットする機能を備える。
【００５９】
次に、実施形態に係るコンテンツ提供システム１の作用・効果について説明する。コンテンツ提供システム１は、端末１０と、コンテンツブロックの利用料金を管理する管理サーバ１００とを備える。端末１０は、通信部１１と更新部１５とを有する。通信部１１は、コンテンツを構成する複数のコンテンツブロックと、このコンテンツブロックを提供するコンテンツ提供業者２００ａを示す事業者名情報と、このコンテンツブロックの料金を示す料金情報２１ｂとを受信する。通信部１１は、視聴ログ情報３０を管理サーバ１００に送信する。更新部１５は、コンテンツブロックの利用状況を示す視聴状況３０ｄを作成する。更新部１５は、視聴状況３０ｄ、事業者名情報（コンテンツ提供業者名３０ｅと同じ内容）及び料金３０ｃ（料金情報２１ｂと同じ内容）を含む視聴ログ情報３０を作成する。管理サーバ１００は、端末１０から送信される視聴ログ情報３０に基づいて、コンテンツ提供業者２００ａに分配する分配金２３の算定を行う。
【００６０】
また、端末１０は、暗号化された暗号化ブロック２１を復号する復号部１７を更に有する。更新部１５は、暗号化された暗号化ブロック２１が復号部１７により復号されたことをトリガとして視聴ログ情報３０を作成する。
【００６１】
また、通信部１１は、視聴ログ情報３０の作成、コンテンツブロックの再生開始若しくは再生終了、コンテンツの再生用アプリケーションプログラムの起動若しくは終了、タイマにセットされた所定時刻の到来、端末１０の起動等のイベントや、端末１０が携帯電話の場合に行われるメールの送受信や電話の発着信等、端末１０が明らかに圏内であることが分かるイベントの何れかをトリガとして視聴ログ情報３０を管理サーバ１００に送信する。なお、上記イベントの一又は複数がユーザにより予め指定され、この指定されたイベントの発生がトリガとなって視聴ログ情報３０が管理サーバ１００に送信されてもよい。
【００６２】
従って、コンテンツ全体ではなく、コンテンツブロック毎に（コンテンツの利用時間毎に）視聴ログ情報３０が作成されるので、ユーザがコンテンツを購入するか否かを比較的容易に決断できる従量制課金が可能となる。また、視聴ログ情報３０は、コンテンツブロック毎に（コンテンツの利用時間毎に）作成されるので、詳細なマーケティングデータとして高い利用価値を有する。
【００６３】
また、端末１０は、通信部１１により受信されたコンテンツブロック（暗号化ブロック２１）を記録装置１０ｇに一旦保存する記憶部１３を更に有し、記録装置１０ｇに保存されたコンテンツブロック（暗号化ブロック２１）を利用する旨の指示入力が入力装置１０ｄを介して成された場合には、更新部１５は、このコンテンツブロックの利用状況を示す視聴状況３０ｄを作成し、この視聴状況３０ｄを含む視聴ログ情報３０を作成する。
【００６４】
従って、暗号化ブロック２１に対する利用指示が入力された場合に視聴ログ情報３０が作成される（課金が発生する）ので、ユーザは、暗号化ブロック２１を、コンテンツサーバ２００、端末１０１又はメモリカード等の記録媒体等から一旦受信（ダウンロード）してしまえば、暗号化ブロック２１を利用する時間を自由に選択することが可能となる。しかも、コンテンツ全体ではなくコンテンツブロック毎に（コンテンツの利用時間毎に）利用時間の自由な選択が可能となる。
【００６５】
また、端末１０の記憶部１３は、通信部１１が管理サーバ１００に視聴ログ情報３０を送信する時に端末１０が通信圏内にない場合、視聴ログ情報３０を記録装置１０ｇに保存し、判定部１４は、通信部１１が管理サーバ１００に視聴ログ情報３０を送信する時に端末１０が通信圏内にある場合、この送信対象の視聴ログ情報３０とは異なる未送信の視聴ログ情報３０が記録装置１０ｇに保存されているか否かを判定する。そして、通信部１１は、この未送信の視聴ログ情報が記録装置１０ｇに保存されていると判定部１４により判定された場合、この未送信の視聴ログ情報３０を送信対象の視聴ログ情報３０とともに管理サーバ１００に送信する。
【００６６】
従って、端末１０が通信圏内にない場合には、送信対象の視聴ログ情報３０は記録装置１０ｇに一旦保存され、端末１０が通信圏内に至った場合に、この記録装置１０ｇに保存された視聴ログ情報３０が管理サーバ１００に送信されるので、視聴ログ情報３０は管理サーバ１００に確実に送信される。
【図面の簡単な説明】
【００６７】
【図１】実施形態に係るコンテンツ提供システムの構成を示す図である。
【図２】実施形態に係る暗号化コンテンツ情報の内容を示す図である。
【図３】実施形態に係る端末の構成を示す図である。
【図４】実施形態に係る端末の構成を示す図である。
【図５】実施形態に係る視聴ログ情報の内容を示す図である。
【図６】実施形態に係るコンテンツ提供システムの動作を説明するためのシーケンスである。
【図７】実施形態に係る端末の動作を説明するためのフローチャートである。
【符号の説明】
【００６８】
１…コンテンツ提供システム、１０…端末、１０ａ…ＣＰＵ、１０ｂ…ＲＡＭ、１０ｃ…ＲＯＭ、１０ｄ…入力装置、１０ｅ…出力装置、１０ｆ…通信装置、１０ｇ…記録装置、１０ｈ…バス、１０ｊ…カードスロット、１００…管理サーバ、１００ａ…代金回収代行業者、１１…通信部、１２…抽出部、１３…記憶部、１４…判定部、１５…更新部、１６…鍵生成部、１７…復号部、１８…再生部、２０…暗号化コンテンツ情報、２００…コンテンツサーバ、２００ａ…コンテンツ提供業者、２１…暗号化ブロック、２１ａ…暗号化コンテンツ、２１ｂ…料金情報、２２…支払い金額情報、２３…分配金、２４…視聴要求、３０…視聴ログ情報、３０ａ…コンテンツ名、３０ｂ…コンテンツブロック名、３０ｃ…料金、３０ｄ…視聴状況、３０ｅ…コンテンツ提供業者名、３１，３２，３３，３４…視聴ログ情報。
【図１】
2009064183.tif 000003
【図２】
2009064183.tif 000004
【図３】
2009064183.tif 000005
【図４】
2009064183.tif 000006
【図５】
2009064183.tif 000007
【図６】
2009064183.tif 000008
【図７】
2009064183.tif 000009